(57)【特許請求の範囲】
【請求項１】
容器口筒部に、注出筒と嵌合筒とを備えた中栓を打栓により被嵌した液注出容器であって、
容器の口筒部は、その天面に拡径嵌合部が形成されており、
中栓の嵌合筒は、外筒と内筒、その間に位置する中筒と肩壁とからなっており、
口筒部の拡径嵌合部に、内筒と中筒とが嵌合するようにし、
中筒と外筒の間には、切込みとそれに続く切断溝が配設されていることを特徴とする液注出容器。
【請求項２】
容器口筒部に、注出筒と嵌合筒とを備えた中栓を打栓により被嵌した液注出容器であって、
容器の口筒部は、その天面に拡径嵌合部が形成されており、
中栓の嵌合筒は、外筒と内筒、その間に位置する中筒と肩壁とからなっており、
外筒には、下端に切断可能な連結部を残して縦方向に切込みが穿設され、
肩壁の外周と中筒との間には、外筒内周に沿って、前記切込みに接続する円弧状の切込みと切断溝が設けられており、
口筒部の拡径嵌合部には、内筒と中筒とが嵌合するようにしたことを特徴とする液注出容器。
【請求項３】
容器口筒部に、注出筒と、外筒と内筒と肩壁とからなる嵌合筒とを備えた中栓を打栓により被嵌した液注出容器であって、
容器の口筒部は、その天面に拡径嵌合部が形成されており、
外筒には、外側部分と内側部分に二分するよう一定長さの円弧状のスリットを穿孔し、
外筒の外側部分に、スリットの始端に対応する位置に縦方向の切込みを刻設し、スリットと切込みによって外側部分に摘み部を形成し、
肩壁の下面に、外筒の内周に沿って、スリットの終端近くから周方向に延びる切断溝を刻設し、
肩壁上面には、スリットの終端と切断溝との間を接続する切込みが穿設されており、
口筒部の拡径嵌合部には、内筒と外筒内側部分とが嵌合するようにしたことを特徴とする液注出容器。
【発明の詳細な説明】
【０００１】
【発明の属する技術分野】
本発明は、液注出容器に関する。
【０００２】
【従来の技術】
容器口筒部に中栓を打栓により嵌着した液注出容器は、従来より周知である。
また、容器と中栓との分別廃棄のために、中栓の外筒に切断可能な連結部を残して縦方向の切込みを設け、肩壁に該切込みに続く円弧状切込みと切断溝を刻設し、外筒に形成した摘み部を引っ張ることによって切断溝を切断して所定範囲の外筒を切り離し、中栓を容器の口筒部から取り外せるようにした、いわゆるショルダースコアタイプの中栓は、従来より知られている（例えば、特開平１１−３３４７５２号公報参照）。
【０００３】
【発明が解決しようとする課題】
上記液注出容器は、醤油、その他の食料液用として使用され、液注出容器を長期にわたって使用していると、容器口筒部と中栓内筒との間の締め代が樹脂相互のなじみにより減少し、シール効果が弱くなるという問題があった。
【０００４】
とくに、ショルダースコアタイプの中栓は、外周に引き裂き用の摘み部を形成するため、肩壁に周方向の切込みが刻設されており、その部分の肩壁下面は、容器のシールにほとんど関与していないので、中栓の内筒と容器の口筒部内周との間の締め代の減少、口筒部のわずかな傷等により、横倒しになったときなど切込み部分から内容液が洩れだすという問題があった。
【０００５】
本発明は、上記の問題点を解決することを課題として、液注出容器を長期にわたって使用していても、高いシール効果を維持できるようにした中栓を嵌着した液注出容器を提供することを目的とする。
【０００６】
【課題を解決するための手段】
本発明は、上記の課題を解決するため、液注出容器として、容器口筒部に、注出筒と嵌合筒とを備えた中栓を打栓により被嵌した液注出容器であって、容器の口筒部は、その天面に拡径嵌合部が形成されており、中栓の嵌合筒は、外筒と内筒、その間に位置する中筒と肩壁とからなっており、口筒部の拡径嵌合部に、内筒と中筒とが嵌合するようにし、中筒と外筒の間には、切込みとそれに続く切断溝が配設されていることを特徴とする構成を採用する。
【０００７】
中栓を分別可能とした液注出容器として、容器口筒部に、注出筒と嵌合筒とを備えた中栓を打栓により被嵌した液注出容器であって、容器の口筒部は、その天面に拡径嵌合部が形成されており、中栓の嵌合筒は、外筒と内筒、その間に位置する中筒と肩壁とからなっており、外筒には、下端に切断可能な連結部を残して縦方向に切込みが穿設され、肩壁の外周と中筒との間には、外筒内周に沿って、前記切込みに接続する円弧状の切込みと切断溝が設けられており、口筒部の拡径嵌合部には、内筒と中筒とが嵌合するようにしたことを特徴とする構成を採用する。
【０００８】
上記容器の別実施形態の液注出容器として、容器口筒部に、注出筒と、外筒と内筒と肩壁とからなる嵌合筒とを備えた中栓を打栓により被嵌した液注出容器であって、容器の口筒部は、その天面に拡径嵌合部が形成されており、外筒には、外側部分と内側部分に二分するよう一定長さの円弧状のスリットを穿孔し、外筒の外側部分に、スリットの始端に対応する位置に縦方向の切込みを刻設し、スリットと切込みによって外側部分に摘み部を形成し、肩壁の下面に、外筒の内周に沿って、スリットの終端近くから周方向に延びる切断溝を刻設し、肩壁上面には、スリットの終端と切断溝との間を接続する切込みが穿設されており、口筒部の拡径嵌合部には、内筒と外筒内側部分とが嵌合するようにしたことを特徴とする構成を採用する。
【０００９】
【発明の実施の形態】
次に、本発明の第１実施形態の液注出容器について、図面を参照して説明する。
図１において、Ａは容器の口筒部、Ｂは中栓、Ｃはキャップである。
容器、中栓Ｂ、キャップＣは、いずれも合成樹脂で成形されており、容器と中栓Ｂ、キャップＣとは、素材樹脂を異にしている。
容器の内容物として食料液が収容されている。
【００１０】
容器の口筒部Ａの上部には、拡径嵌合部１が形成され、その上面１ａは、広巾の環状面となっている。
拡径嵌合部１の外周には係合突条２と保持突条３とが設けられている。
【００１１】
図２，３に示すように、中栓Ｂは、容器の口筒部Ａに嵌着される嵌合筒４と、注出筒５を連設した螺合筒６とを具えている。
嵌合筒４は、外筒７と内筒８、両者の中間に設けられた中筒９および肩壁１０とからなり、螺合筒６は、内筒８より上方に延びるよう連設されている。
【００１２】
中筒９は、口筒部Ａの拡径嵌合部１の外周に嵌合されるよう位置しており、中筒９と内筒８によって中栓Ｂが口筒部Ａに嵌着されるようになっている。
外筒７の下端部内周には、容器の口筒部Ａ外周に設けられた係合突条２に係合する係合突条１１が突設されており、下端部外周にはフランジ１２が突設されている。
内筒８の外周面は、容器の口筒部Ａ内周との内に一定の締め代をもって嵌合するよう膨出面１３を形成しており、下方部には、二本の膨出細条が設けられている。
【００１３】
外筒７の所定個所には、下端部に切断可能な連結部１４を残して外筒７を周方向に区分するとともに、フランジ１２を分断するよう縦方向の切込み１５が穿設され、肩壁１０には、中筒９と外筒７との間に切込み１５に接続する一定長さの円弧状の切込み１６が穿設されており、この二つの切込み１５，１６によって外筒７の筒壁に摘み部１７が形成されている。
摘み部１７の表面には、ローレットが刻設され、引き裂きにあたって指先が滑らないようにしている。
【００１４】
肩壁１０の下面には、切込み１６に続いて薄肉を残したほぼＶ字形の切断溝１８が、外筒７内周に沿って少なくとも１８０度を越える角度範囲に穿設されている。
【００１５】
螺合筒６の外周には、ねじ１９が刻設されており、上端には、内方に延びる注出筒５の支持壁２０が連設されている。
【００１６】
注出筒５は、その上端周縁には、外方に拡開され湾曲する注出口唇部２１が形成され、下端には、隔壁２２が連設されている。
隔壁２２下方には、注出筒５に続く内壁２３が垂設され、内壁２３内周には、所定間隔をおいて縦リブ２４が設けられている。
隔壁２２の裏面には、所定の形状に沿って、薄肉を残してＶ字状の切断溝２５が設けられ、その内側の隔壁は除去部２６となっており、除去部２６の上面には、連結片を介して指掛けリング２７が設けられている。
【００１７】
図４に示すように、キャップＣは、頂壁３０と側筒壁３１、側筒壁３１の下方に設けられた被せ筒３２とを具えている。
頂壁３０の下面には、密封リング３３が垂設されており、側筒壁３１の内周には、中栓Ｂの螺合筒６のねじ１９に螺合するねじ３４が刻設されている。
側筒壁３１の下端には、フランジ状に拡がる肩壁３５が連設されており、肩壁３５の周縁から側筒３６がフランジ１２に達するよう垂設されている。
肩壁３５と側筒３６によって、中栓Ｂの嵌合筒４に対する被せ筒３２が構成されている。
【００１８】
キャップＣを中栓Ｂに螺合締着すると、密封リング３３の外周は、注出筒５の内周に嵌合して注出筒５を密封し、被せ筒３２は、中栓Ｂの嵌合筒４の肩壁１０に接合し、外筒７のフランジ１２より上方の外周面を覆うよう被嵌される。
【００１９】
次に、本実施形態の液注出容器の使用態様と作用効果について説明する。
本発明の液注出容器には、内容液が充填された後、キャップＣを被蓋した中栓Ｂが、容器の口筒部Ａに打栓により嵌着される。
図５に示すように、中栓Ｂの打栓時には、内筒８の膨出面が、容器口筒部Ａ内周に一定の締め代をもって嵌合し、内筒８と中筒９との間の肩壁下面１０ａが口筒部Ａの拡径嵌合部１の上面１ａに圧接され、中筒９が口筒部Ａの拡径嵌合部１の外周に嵌合し、外筒７の係合突条１１が係合突条２の下側に係合することによって嵌着される。
【００２０】
その際、内筒８の膨出面と容器の口筒部Ａ内周面との間の一定の締め代を有する嵌合、肩壁１０の内側下面１０ａと口筒部Ａの拡径嵌合部１の上面１ａとの圧接、拡径嵌合部１外周と中筒９の内周全体による嵌合により、容器内部が密封される。
【００２１】
使用開始にあたって、従来の容器と同様に、キャップＣを開蓋し、中栓Ｂの指掛けリング２７を引き上げることによって、注出孔が開孔される。
液注出後に、キャップＣを被蓋して内容液を保存する。
【００２２】
容器の使用が長期にわたった場合に、樹脂相互間のなじみにより締め代が減少しても、肩壁下面１０ａが拡径嵌合部１の巾広の上面１ａに圧接されていること、拡径嵌合部１の外周に中筒９の全周面が広い面にわたって係合していることによって、高いシール効果が維持されているので、液が洩れたり、外気が導入されることはない。
また、外筒７の引き裂き用の切込み１６と切断溝１８を、中筒９と外筒７との間に刻設しているので、従来のように、口筒部Ａの上面を圧接する肩壁下面１０ａに切込みがあるために密封性が損なわれ、その部分から液洩れするということはない。
【００２３】
内容液の使用終了後に容器を廃棄するときには、中栓Ｂの外筒７の摘み部１７を引っ張ると、外筒７を肩壁１０下面に設けた切断溝１８に沿って切り裂くことができ、中栓Ｂを簡単に抜き取ることができる。
【００２４】
次に、第２実施形態の液注出容器について、図面を参照して説明する。
図６において、Ａａは容器の口筒部、Ｂａは中栓、Ｃａはキャップである。
容器の口筒部Ａａの外周には係合突条４０と保持突条４１とが設けられている。
【００２５】
図７，８に示すように、中栓Ｂａは、容器の口筒部Ａａに嵌着される嵌合筒４ａと、注出筒５ａを連接した螺合筒６ａとを具えている。
嵌合筒４ａは、外筒４２と内筒４３および肩壁４４とからなり、螺合筒６ａは、内筒４３から上方に延びるよう連設されている。
【００２６】
外筒４２の外周上端部には、段部４５が設けられており、下端部内周には、容器の口筒部Ａａ外周に設けられた係合突条４０に係合する係合突条４６が突設されている。
内筒４３の外周面は、容器の口筒部Ａａ内周との内に、一定の締め代をもって嵌合する膨出面４７が形成されており、下方部には、二本の膨出細条が設けられている。
【００２７】
外筒４２の所定個所には、周方向に延びる一定長のスリット４８が穿設されており、該スリット４８の外側部分４２ａを周方向に区分し、スリット４８の始端に接続する縦方向の切込み４９が下端部に切断可能な連結部５０を残して穿設されている。
スリット４８と切込み４９によって外筒４２の外側部分４２ａに摘み部５１が形成されている。
【００２８】
肩壁４４の下面には、スリット４８の終端４８ａの近くから、外筒４２の内周に沿って薄肉を残したＶ字形の切断溝５２がスリット４８と同じ周方向に延び、少なくとも１８０度を越える角度範囲に穿設されている。
図９に示すように、スリット４８の終端４８ａ近くには、外筒４２の内側部分４２ｂを縦方向に分断し、切断溝５２の端部に接続する切込み５３が穿設されている。
【００２９】
螺合筒６ａの外周には、ねじ１９ａが刻設されており、上端には、内方に延びる注出筒５ａの支持壁２０ａが連設されている。
【００３０】
螺合筒６ａ、注出筒５ａの構成は、前記第１実施形態のものと同一であるので同一の符号に添字ａを付して図示し、説明を省略する。
【００３１】
図１０に示すように、キャップＣａは、頂壁６０と側筒壁６１、側筒壁６１の下方にフランジ状に連設され、周縁に突出リング６２を設けた肩壁６３とを具えている。
頂壁６０の下面には、密封リング６４が垂設されており、側筒壁６１の内周には、中栓Ｂａの螺合筒６ａのねじ１９ａに螺合するねじ６５が刻設されている。
【００３２】
キャップＣａを中栓Ｂａに螺合締着すると、密封リング６４の外周は、注出筒５ａの内周に嵌合して注出筒５ａを密封し、突出リング６２は、中栓Ｂａの外筒４２の段部４５に接合し、外筒４２と肩壁４４の上面とを覆うよう被嵌される。
【００３３】
次に、本実施形態の液注出容器の使用態様と作用効果について説明する。
本発明の液注出容器には、内容液が充填された後、キャップＣａを被蓋した中栓Ｂａが容器の口筒部Ａａに打栓により嵌着される。
中栓Ｂａの打栓時には、図１１に示すように、内筒４３の外周面が容器の口筒部Ａａ内周に一定の締め代をもって嵌合し、肩壁４４下面が口筒部Ａａの天面に圧接され、外筒４２の係合突条４６が係合突条４０下端に係合されることによって、中栓Ｂａが容器の口筒部Ａａに嵌着され、容器内部が密封される。
【００３４】
使用開始にあたって、従来の容器と同様に、キャップＣａを開蓋し、中栓Ｂａ指掛けリング２７ａを引き上げることによって、注出孔が開孔される。
液注出後に、キャップＣａを被蓋して内容液が保存される。
【００３５】
容器の使用が長期にわたった場合に、中栓Ｂａの肩壁下面には、切り裂き可能な切断溝５２が穿孔されているだけで切込みなどの切断部がないので、肩壁下面と容器の口筒部Ａａの天面との圧接が保たれ、容器口筒部Ａａと中栓Ｂａ内筒４３との間の締め代が減少しても高いシール効果が維持される。
【００３６】
内容液の使用終了後に、容器を廃棄するときには、中栓Ｂａの外筒４２の摘み部５１を引っ張ると、外筒４２を肩壁４４下面に設けた切断溝５２に沿って切り裂くことができ、中栓Ｂａを簡単に抜き取ることができる。
【００３７】
次に、第３実施形態について説明する。
本実施形態は、前記第２実施形態のキャップＣａを変更したもので、以下相違点を中心に説明する。
外筒７５にフランジ７８を突設したこと、外周上端に段部を設けていないことのほかは、中栓Ｂａと同一であるので、くわしい説明を省略する。
【００３８】
図１２において、Ａｂは容器の口筒部、Ｂｂは中栓、Ｃｂはキャップである。
口筒部Ａｂの外周には、嵌合突条７０と保持突条７１が突設されている。
中栓Ｂｂは、容器口筒部Ａｂに嵌着される。
嵌合筒７２と、注出筒７３を連接した螺合筒７４を具えており、嵌合筒７２は外筒７５と内筒７６および肩壁７７とからなっている。
外筒７５の外周端には、フランジ７８が突設されている。
【００３９】
図１２に示すように、キャップＣｂは、頂壁８０と側筒壁８１、側筒壁８１の下方に設けられた被せ筒８２とを具えている。
側筒壁８１の下端には、フランジ状に拡がる肩壁８３が連設されており、肩壁８３の周縁から側筒８４がフランジ７８に達するよう垂設されている。
肩壁８３と側筒８４によって、中栓Ｂｂの嵌合筒７２に対する被せ筒８２が構成されている。
【００４０】
本実施形態は、前記第２実施形態と同一の作用効果を上げることができ、さらに、キャップＣｂの被せ筒８２によって、中栓Ｂｂを被嵌するようにしたので、空気中の塵埃が中栓の嵌合筒部にはいることを防ぐことができる。
【００４１】
次に第４実施形態について図面を参照して説明する。
前記第１実施形態は、中栓を分別可能とした注出容器に係るものであるが、口筒部と中栓の嵌合筒の構成は、中栓を分別しない普通の液注出容器に適用できる。
【００４２】
図１３において、Ａｃは容器の口筒部、Ｂｃは中栓、Ｃｃはキャップである。
容器口筒部Ａｃには、その上部に拡径嵌合部９０が形成され、その外周には、係合突条９１と保持突条９２とが突設されている。
【００４３】
中栓Ｂｃの嵌合筒９３は、外筒９４と内筒９５、中筒９６と肩壁９７とからなっており、中栓Ｂｃは、内筒９５と中筒９６によって拡径嵌合部９０に嵌着されている。
中栓Ｂｃの嵌着時には、外筒９４の係合突条９８が係合突条９１の下側に係合することによって、肩壁９７の内側下面９７ａが拡径嵌合部９０の巾広の天面に圧接され、中筒９６が拡径嵌合部９０外周に嵌合されることによって高いシール効果を得ることができる。
【００４４】
【発明の効果】
本発明は、上記のように構成されているから、次の効果を奏する。
中栓の肩壁下面と容器口筒部の上面との間の接合面を広くしたから、容器口筒部と中栓との間のシール効果を高めることができる。
そのため液注出容器を長期に使用していても、肩壁下面と容器口筒部の間で高いシール効果を維持しているので、締め代が減少することによる液洩れをなくすことができる。
【００４５】
ショルダースコアタイプの中栓では、口筒部の上面の肩壁に切込みを設けていないから、シール効果が落ちることがなく、切込み部分を通じての液洩れをなくすことができる。
【図面の簡単な説明】
【図１】本発明第１実施形態の液注出容器の一部断面正面図である。
【図２】中栓の説明図で、（ａ）は上面図、（ｂ）は正面図である。
【図３】同じく中栓の説明図で、（ａ）は図２（ａ）のＡ−Ａ線における断面図、（ｂ）は底面図である。
【図４】キャップの一部断面正面図である。
【図５】  嵌合部の拡大説明図である。
【図６】  第２実施形態の液注出容器の一部断面正面図である。
【図７】  中栓の説明図で、（ａ）は上面図、（ｂ）は正面図である。
【図８】  同じく中栓の説明図で、（ａ）は図７（ａ）のＡ−Ａ線における断面図、（ｂ）は底面図である。
【図９】  同じく中栓の説明図で、図７（ａ）のＢ−Ｂ線における断面図である。
【図１０】  キャップの一部断面正面図である。
【図１１】  嵌合部の拡大説明図である。
【図１２】  第３実施形態の液注出容器の一部断面正面図である。
【図１３】  第４実施形態の液注出容器の一部断面正面図である。
【符号の説明】
Ａ、Ａａ、Ａｂ、Ａｃ    口筒部
Ｂ、Ｂａ、Ｂｂ、Ｂｃ    中栓
Ｃ、Ｃａ、Ｃｂ、Ｃｃ    キャップ
１、９０                拡径嵌合部
４、７２、９３          嵌合筒
５、７３                注出筒
７、４２、７５、９４    外筒
８、４３、７６、９５    内筒
９、９６                中筒
１０、４４、７７、９７  肩壁
１４、５０              連結部
１５、４９              切込み
１６、５３              切込み
１７、５１              摘み部
１８、５２              切断溝
４８                    スリット
【図１】
0004120963.tif 000002
【図２】
0004120963.tif 000003
【図３】
0004120963.tif 000004
【図４】
0004120963.tif 000005
【図５】
0004120963.tif 000006
【図６】
0004120963.tif 000007
【図７】
0004120963.tif 000008
【図８】
0004120963.tif 000009
【図９】
0004120963.tif 000010
【図１０】
0004120963.tif 000011
【図１１】
0004120963.tif 000012
【図１２】
0004120963.tif 000013
【図１３】
0004120963.tif 000014